(57)【特許請求の範囲】
【請求項１】
（ａ）第１の携帯端末機が自機にインストールされているアプリケーションに対する識別情報を抽出する段階；
（ｂ）アプリケーションファイルをダウンロードできるアプリケーションマーケットに対する接続経路を提供するリンク情報を、前記第１の携帯端末機が前記識別情報に基づいて抽出する段階；及び
（ｃ）前記第１の携帯端末機が前記リンク情報を第２の携帯端末機に伝送する段階
を含むことを特徴とする、アプリケーションの携帯端末機間移動及びインストール方法であって、
前記第１の携帯端末機が、所定のデータベースサーバーから前記各アプリケーションに対する前記識別情報のデータベースをリアルタイムで受け取るか、または予め受け取って備え、かつ
前記第１の携帯端末が、前記段階（ｂ）において前記リンク情報を抽出するために、所定のデータベースサーバーから前記各識別情報に対する前記リンク情報のデータベースをリアルタイムで受け取るか、または予め受け取って備えることを特徴とする、方法。
【請求項２】
前記段階（ａ）の前に、前記識別情報を前記第１の携帯端末機から抽出する機能を行う抽出プログラムを前記第１の携帯端末機が前記アプリケーションマーケットからダウンロードしてインストールする段階
をさらに含むことを特徴とする、請求項１に記載の方法。
【請求項３】
前記第１の携帯端末機が、所定のデータベースサーバーから前記各識別情報に対する前記リンク情報のデータベースを前記段階（ａ）の後に受け取るか、または前記段階（ａ）の前に受け取って備えることを特徴とする、請求項１に記載の方法。
【請求項４】
前記段階（ｂ）において、前記第１の携帯端末機が所定のデータベースサーバーに接続して、前記データベースサーバーから前記各識別情報に対する前記リンク情報のデータベースを照会することによって、前記データベースサーバーから前記リンク情報を抽出することを特徴とする、請求項１に記載の方法。
【請求項５】
前記第１の携帯端末機と前記第２の携帯端末機とのオペレーティングシステムが相異なる場合、前記段階（ｂ）における前記アプリケーションマーケットは前記第２の携帯端末機用オペレーティングシステムに対応しているアプリケーションマーケットであることを特徴とする、請求項１に記載の方法。
【請求項６】
（ｄ）前記段階（ｃ）の後に、前記第２の携帯端末機が前記リンク情報を用いて前記アプリケーションマーケットに接続して、前記アプリケーションマーケットからアプリケーションファイルをダウンロードしてインストールする段階
をさらに含むことを特徴とする、請求項１に記載の方法。
【請求項７】
前記第２の携帯端末機が、ダウンロードしたアプリケーションファイルをインストールする機能を行うインストールプログラムを前記段階（ｄ）より前に受信してインストールする段階
をさらに含むことを特徴とする、請求項６に記載の方法。
【請求項８】
前記段階（ａ）において、前記第１の携帯端末機が、前記第１の携帯端末機のユーザーが前記アプリケーションを使用することで生成された付加データを前記識別情報と共に抽出し、
前記段階（ｃ）において、前記第１の携帯端末機が、前記付加データを前記リンク情報と共に前記第２の携帯端末機に伝送して格納する
ことを特徴とする、請求項１〜７のいずれか一項に記載の方法。
【請求項９】
前記段階（ａ）において、前記第１の携帯端末機が、前記アプリケーションに対する前記第１の携帯端末機のユーザーによる使用回数、使用時刻、及び使用時間のうち少なくとも一つ以上を含む使用情報を前記識別情報と共に抽出し、
前記段階（ｃ）において、前記第１の携帯端末機が、前記使用情報を前記リンク情報と共に前記第２の携帯端末機に伝送する
ことを特徴とする、請求項１〜７のいずれか一項に記載の方法。
【請求項１０】
前記第２の携帯端末機が前記使用情報をディスプレーを通じて外部に表示することを特徴とする、請求項９に記載の方法。
【請求項１１】
前記段階（ａ）において、前記第１の携帯端末機が、前記第１の携帯端末機のユーザーの前記アプリケーションに対するライセンス情報を前記識別情報と共に抽出し、
前記段階（ｃ）において、前記第１の携帯端末機が、前記ライセンス情報を前記リンク情報と共に前記第２の携帯端末機に伝送する
ことを特徴とする、請求項１〜７のいずれか一項に記載の方法。
【発明の詳細な説明】
【技術分野】
【０００１】
本発明はアプリケーションの携帯端末機間移動及びインストール方法に関するものであり、より詳細には、既存の携帯端末機に既にインストールされていたアプリケーションを新しい携帯端末機に容易にインストールできるようにする、アプリケーションの移動及びインストール方法に関するものである。
【背景技術】
【０００２】
使用中の携帯電話を新しい携帯電話に替える場合、既存の携帯電話に格納されている多様なデータを新しい携帯電話に移動して使用する必要がある。既存の携帯電話に格納されているデータのうち、代表的な主要データとして知人の電話番号と氏名などが格納されているアドレスデータがある。アドレスデータを買い替え前の携帯電話から新しい携帯電話に移動するためのアドレス移動プログラムは既に商用化されている。
【０００３】
商用化された移動プログラムは、例えば携帯電話を販売する代理店や携帯電話の修理を行うサービスセンターなどに備えられたコンピュータ内に搭載されて、アドレス移動を行う移動装置を構成する。このような移動装置に買い替え前の携帯電話を連結した後に、買い替え前の携帯電話に格納されているアドレスデータを移動装置により読み出す。このように読み出したアドレスデータを移動装置により新しい携帯電話のデータフォーマットに変換した後に、新しい携帯電話に伝送することによって、新しい携帯電話にも同一のアドレスデータが格納される。このような移動装置を用いることによって、ユーザーは新しい携帯電話を購入した場合にも一つ一つデータを再入力する負担なしに既存のアドレスを利用することができる。
【０００４】
最近は携帯電話の機能が多様化されることによって、アドレスデータの他にもユーザーが既存の携帯電話に格納されているデータのうち新規携帯電話に移動（コピー）させる必要があるデータの種類が増加している。特にコンピュータの機能を兼ねた携帯電話であるスマートフォンや携帯用コンピュータであるタブレットＰＣの場合（以下、「携帯端末機」という）所謂「アップ（ＡＰＰ）」と呼ばれるアプリケーションが多数インストールされている場合が多い。このようなアプリケーションの場合、既存の携帯端末機から新規の携帯端末機に自動移動させてインストールすることができる手段を備えていない。そのため、ユーザーは新規の携帯端末機を購入するたびに自分が既に使用しているアプリケーションを新規の携帯端末機に一つ一つ新しくインストールする不便さがある。この場合、ユーザーは個々のアプリケーションを再インストールする不便さがあると共に、有料アプリケーションに対しては再び代金を支払い、使用権限を得るための認証を必要とするアプリケーションに対しては当該認証手順を再び行うなどの不便さを甘受しなければならない。また、ユーザーによっては数十から数百個のアプリケーションを使用する場合がある。この場合、自分が使用しているアプリケーションとしてどのようなものがあるかに対しても正確に把握することは難しく、さらに、各アプリケーションをウェブサイトで一つ一つ検索して捜し出す作業も行わなければならない。
【発明の概要】
【発明が解決しようとする課題】
【０００５】
本発明は前述したような問題点を解決するためになされたものであり、既存の携帯端末機にインストールされていたアプリケーションを容易に新規の携帯端末機に移動してインストールできるようにする、アプリケーションの携帯端末機間移動及びインストール方法を提供することにその目的がある。
【課題を解決するための手段】
【０００６】
前記目的を達成するために本発明は、（ａ）データ移動のための移動装置とデータ通信可能に連結された第１の携帯端末機から、前記移動装置が前記第１の携帯端末機にインストールされているアプリケーションに対する識別情報を抽出する段階；（ｂ）前記移動装置が、前記識別情報に基づいて前記アプリケーションファイルを提供するアプリケーションマーケットから前記アプリケーションファイルをダウンロードして備えるか、または前記アプリケーションを前記アプリケーションマーケットからダウンロードできるように接続経路を提供するリンク情報を抽出する段階；及び（ｃ）前記移動装置とデータ通信可能に連結された第２の携帯端末機に、前記移動装置が前記アプリケーションファイルを伝送し、これを前記第２の携帯端末機にインストールするようにするか、または前記第２の携帯端末機が前記アプリケーションマーケットから前記アプリケーションファイルをダウンロードできるように、前記移動装置が前記リンク情報を前記第２の携帯端末機に伝送する段階；を含むことを特徴とする、アプリケーションの携帯端末機間移動及びインストール方法を提供する。
【０００７】
前記段階（ａ）の前に、前記識別情報を前記第１の携帯端末機から抽出し、これを前記移動装置に伝送する機能を行う抽出プログラムを前記移動装置が前記第１の携帯端末機に伝送する段階をさらに含むことができる。
【０００８】
前記移動装置は、前記段階（ｂ）において前記アプリケーションファイルを前記アプリケーションマーケットからダウンロードするために、所定のデータベースサーバーから前記各アプリケーションに対する前記識別情報のデータベースをリアルタイムで受け取るか、または予め受け取って備える。
【０００９】
前記第１の携帯端末機と前記第２の携帯端末機とのオペレーティングシステムが相異なる場合、前記段階（ｂ）における前記アプリケーションマーケットは前記第２の携帯端末機用オペレーティングシステムに対応しているアプリケーションマーケットである。
【００１０】
前記移動装置は、前記段階（ｂ）において前記リンク情報を抽出するために所定のデータベースサーバーから前記各識別情報に対する前記リンク情報のデータベースをリアルタイムで受け取るか、または予め受け取って備えることができる。
【００１１】
前記段階（ｃ）の前に、前記移動装置が前記第２の携帯端末機に伝送する前記アプリケーションファイルを前記第２の携帯端末機にインストールする機能を行うインストールプログラムを、前記移動装置が前記第２の携帯端末機に伝送する段階をさらに含むことが好ましい。
【００１２】
前記段階（ａ）において、前記移動装置は前記識別情報と共に前記第１の携帯端末機のユーザーが前記アプリケーションを使用することで生成された付加データを抽出することができる。また、前記段階（ｃ）において、前記移動装置は前記アプリケーションファイルまたは前記リンク情報と共に前記付加データを前記第２の携帯端末機に伝送して格納する。
【００１３】
前記段階（ａ）において、前記移動装置は前記識別情報と共に前記アプリケーションに対する前記第１の携帯端末機のユーザーによる使用回数、使用時刻、及び使用時間のうち少なくとも一つ以上を含む使用情報を抽出することができる。前記段階（ｃ）において、前記移動装置は前記アプリケーションファイルまたは前記リンク情報と共に前記使用情報を前記第２の携帯端末機に伝送する。また、前記移動装置は前記使用情報をディスプレーを通じて外部に表示する。前記移動装置は表示された前記使用情報に基づいてユーザーが選択した前記アプリケーションに対する選択命令の入力を受け取り、前記移動装置は、前記選択命令により選択された前記アプリケーションに対して前記段階（ｂ）及び前記段階（ｃ）を行う。
【００１４】
前記段階（ａ）において、前記移動装置は前記識別情報と共に前記第１の携帯端末機のユーザーの前記アプリケーションに対するライセンス情報を抽出することができる。前記段階（ｂ）において、前記移動装置が前記アプリケーションをダウンロードするために前記アプリケーションマーケットに前記ライセンス情報を提供する。前記段階（ｃ）において、前記移動装置は前記リンク情報と共に前記ライセンス情報を前記第２の携帯端末機に伝送する。
【００１５】
一方、本発明の他の側面によれば、（ａ）第１の携帯端末機が自機にインストールされているアプリケーションに対する識別情報を抽出する段階；（ｂ）前記アプリケーションをダウンロードできるアプリケーションマーケットに対する接続経路を提供するリンク情報を、前記第１の携帯端末機が前記識別情報に基づいて抽出する段階；及び（ｃ）前記第１の携帯端末機が前記リンク情報を第２の携帯端末機に伝送する段階；を含むことを特徴とする、アプリケーションの携帯端末機間移動及びインストール方法を提供する。
【００１６】
本発明のまた他の側面によれば、（ａ）第１の携帯端末機が自機にインストールされているアプリケーションに対する識別情報を抽出し、これを第２の携帯端末機に伝送することによって、前記第２の携帯端末機が前記識別情報を受信する段階；（ｂ）前記アプリケーションをダウンロードできるアプリケーションマーケットに対する接続経路を提供するリンク情報を、前記第２の携帯端末機が前記識別情報に基づいて抽出する段階；及び（ｃ）前記第２の携帯端末機が前記リンク情報を用いて前記アプリケーションマーケットに接続して、前記アプリケーションマーケットから前記アプリケーションファイルをダウンロードしてインストールする段階；を含むことを特徴とする、アプリケーションの携帯端末機間移動及びインストール方法を提供する。
【００１７】
本発明（１）は、
（ａ）データ移動のための移動装置とデータ通信可能に連結された第１の携帯端末機から、前記移動装置が前記第１の携帯端末機にインストールされているアプリケーションに対する識別情報を抽出する段階；
（ｂ）前記移動装置が、前記識別情報に基づいて、前記アプリケーションファイルを提供するアプリケーションマーケットから、前記アプリケーションファイルをダウンロードして備えるか、または前記アプリケーションを前記アプリケーションマーケットからダウンロードできるように接続経路を提供するリンク情報を抽出する段階；及び
（ｃ）前記移動装置とデータ通信可能に連結された第２の携帯端末機に前記移動装置が前記アプリケーションファイルを伝送してこれを前記第２の携帯端末機にインストールするようにするか、または前記第２の携帯端末機が前記アプリケーションマーケットから前記アプリケーションファイルをダウンロードできるように前記移動装置が前記リンク情報を前記第２の携帯端末機に伝送する段階
を含むことを特徴とする、アプリケーションの携帯端末機間移動及びインストール方法である。
本発明（２）は、
前記段階（ａ）の前に、前記識別情報を前記第１の携帯端末機から抽出し、これを前記移動装置に伝送する機能を行う抽出プログラムを前記移動装置が前記第１の携帯端末機に伝送する段階
をさらに含むことを特徴とする、本発明（１）の方法である。
本発明（３）は、
前記移動装置が、前記段階（ｂ）において前記アプリケーションファイルを前記アプリケーションマーケットからダウンロードするために、所定のデータベースサーバーから前記各アプリケーションに対する前記識別情報のデータベースをリアルタイムで受け取るか、または予め受け取って備えることを特徴とする、本発明（１）の方法である。
本発明（４）は、
前記第１の携帯端末機と前記第２の携帯端末機とのオペレーティングシステムが相異なる場合、前記段階（ｂ）における前記アプリケーションマーケットが前記第２の携帯端末機用オペレーティングシステムに対応しているアプリケーションマーケットであることを特徴とする、本発明（１）の方法である。
本発明（５）は、
前記移動装置が、前記段階（ｂ）において前記リンク情報を抽出するために、所定のデータベースサーバーから前記各識別情報に対する前記リンク情報のデータベースをリアルタイムで受け取るか、または予め受け取って備えることを特徴とする、本発明（１）の方法である。
本発明（６）は、
前記段階（ｃ）の前に、前記移動装置が前記第２の携帯端末機に伝送する前記アプリケーションファイルを前記第２の携帯端末機にインストールする機能を行うインストールプログラムを、前記移動装置が前記第２の携帯端末機に伝送する段階
をさらに含むことを特徴とする、本発明（１）の方法である。
本発明（７）は、
前記段階（ａ）において、前記移動装置が、前記第１の携帯端末機のユーザーが前記アプリケーションを使用することで生成された付加データを前記識別情報と共に抽出し、
前記段階（ｃ）において、前記移動装置が前記アプリケーションファイルまたは前記リンク情報と共に前記付加データを前記第２の携帯端末機に伝送して格納する
ことを特徴とする、本発明（１）ないし本発明（６）のいずれか一発明の方法である。
本発明（８）は、
前記段階（ａ）において、前記移動装置が、前記アプリケーションに対する前記第１の携帯端末機のユーザーによる使用回数、使用時刻、及び使用時間のうち少なくとも一つ以上を含む使用情報を前記識別情報と共に抽出し、
前記段階（ｃ）において、前記移動装置が前記アプリケーションファイルまたは前記リンク情報と共に前記使用情報を前記第２の携帯端末機に伝送する
ことを特徴とする、本発明（１）ないし本発明（６）のいずれか一発明の方法である。
本発明（９）は、
前記移動装置が前記使用情報をディスプレーを通じて外部に表示することを特徴とする、本発明（８）の方法である。
本発明（１０）は、
表示された前記使用情報に基づいてユーザーが選択した前記アプリケーションに対する選択命令の入力を前記移動装置が受け取り、前記移動装置が、前記選択命令により選択された前記アプリケーションに対して前記段階（ｂ）及び前記段階（ｃ）を行うことを特徴とする、本発明（９）の方法である。
本発明（１１）は、
前記段階（ａ）において、前記移動装置が、前記第１の携帯端末機のユーザーの前記アプリケーションに対するライセンス情報を前記識別情報と共に抽出することを特徴とする、本発明（１）ないし本発明（６）のいずれか一発明の方法である。
本発明（１２）は、
前記段階（ｂ）において、前記移動装置が前記アプリケーションをダウンロードするために前記アプリケーションマーケットに前記ライセンス情報を提供することを特徴とする、本発明（１１）の方法である。
本発明（１３）は、
前記段階（ｃ）において、前記移動装置が前記リンク情報と共に前記ライセンス情報を前記第２の携帯端末機に伝送することを特徴とする、本発明（１１）の方法である。
本発明（１４）は、
（ａ）第１の携帯端末機が自機にインストールされているアプリケーションに対する識別情報を抽出する段階；
（ｂ）前記アプリケーションをダウンロードできるアプリケーションマーケットに対する接続経路を提供するリンク情報を、前記第１の携帯端末機が前記識別情報に基づいて抽出する段階；及び
（ｃ）前記第１の携帯端末機が前記リンク情報を第２の携帯端末機に伝送する段階
を含むことを特徴とする、アプリケーションの携帯端末機間移動及びインストール方法である。
本発明（１５）は、
前記段階（ａ）の前に、前記識別情報を前記第１の携帯端末機から抽出する機能を行う抽出プログラムを前記第１の携帯端末機が前記アプリケーションマーケットからダウンロードしてインストールする段階
をさらに含むことを特徴とする、本発明（１４）の方法である。
本発明（１６）は、
前記第１の携帯端末機が、所定のデータベースサーバーから前記各識別情報に対する前記リンク情報のデータベースを前記段階（ａ）の後に受け取るか、または前記段階（ａ）の前に受け取って備えることを特徴とする、本発明（１４）の方法である。
本発明（１７）は、
前記段階（ｂ）において、前記第１の携帯端末機が所定のデータベースサーバーに接続して、前記データベースサーバーから前記各識別情報に対する前記リンク情報のデータベースを照会することによって、前記データベースサーバーから前記リンク情報を抽出することを特徴とする、本発明（１４）の方法である。
本発明（１８）は、
前記第１の携帯端末機と前記第２の携帯端末機とのオペレーティングシステムが相異なる場合、前記段階（ｂ）における前記アプリケーションマーケットは前記第２の携帯端末機用オペレーティングシステムに対応しているアプリケーションマーケットであることを特徴とする、本発明（１４）の方法である。
本発明（１９）は、
（ｄ）前記段階（ｃ）の後に、前記第２の携帯端末機が前記リンク情報を用いて前記アプリケーションマーケットに接続して、前記アプリケーションマーケットから前記アプリケーションファイルをダウンロードしてインストールする段階
をさらに含むことを特徴とする、本発明（１４）の方法である。
本発明（２０）は、
前記第２の携帯端末機が、ダウンロードした前記アプリケーションファイルをインストールする機能を行うインストールプログラムを前記段階（ｄ）より前に受信してインストールする段階
をさらに含むことを特徴とする、本発明（１９）の方法である。
本発明（２１）は、
前記段階（ａ）において、前記第１の携帯端末機が、前記第１の携帯端末機のユーザーが前記アプリケーションを使用することで生成された付加データを前記識別情報と共に抽出し、
前記段階（ｃ）において、前記第１の携帯端末機が、前記付加データを前記リンク情報と共に前記第２の携帯端末機に伝送して格納する
ことを特徴とする、本発明（１４）ないし本発明（２０）のいずれか一発明の方法である。
本発明（２２）は、
前記段階（ａ）において、前記第１の携帯端末機が、前記アプリケーションに対する前記第１の携帯端末機のユーザーによる使用回数、使用時刻、及び使用時間のうち少なくとも一つ以上を含む使用情報を前記識別情報と共に抽出し、
前記段階（ｃ）において、前記第１の携帯端末機が、前記使用情報を前記リンク情報と共に前記第２の携帯端末機に伝送する
ことを特徴とする、本発明（１４）ないし本発明（２０）のいずれか一発明の方法である。
本発明（２３）は、
前記第２の携帯端末機が前記使用情報をディスプレーを通じて外部に表示することを特徴とする、本発明（２２）の方法である。
本発明（２４）は、
前記段階（ａ）において、前記第１の携帯端末機が、前記第１の携帯端末機のユーザーの前記アプリケーションに対するライセンス情報を前記識別情報と共に抽出し、
前記段階（ｃ）において、前記第１の携帯端末機が、前記ライセンス情報を前記リンク情報と共に前記第２の携帯端末機に伝送する
ことを特徴とする、本発明（１４）ないし本発明（２０）のいずれか一発明の方法である。
本発明（２５）は、
（ａ）第１の携帯端末機が自機にインストールされているアプリケーションに対する識別情報を抽出し、これを第２の携帯端末機に伝送することによって、前記第２の携帯端末機が前記識別情報を受信する段階；
（ｂ）前記アプリケーションをダウンロードできるアプリケーションマーケットに対する接続経路を提供するリンク情報を、前記第２の携帯端末機が前記識別情報に基づいて抽出する段階；及び
（ｃ）前記第２の携帯端末機が前記リンク情報を用いて前記アプリケーションマーケットに接続し、前記アプリケーションマーケットから前記アプリケーションファイルをダウンロードしてインストールする段階
を含むことを特徴とする、アプリケーションの携帯端末機間移動及びインストール方法である。
本発明（２６）は、
前記段階（ｂ）において、前記第２の携帯端末機が所定のデータベースサーバーに接続し、前記データベースサーバーから前記各識別情報に対する前記リンク情報のデータベースを照会することによって、前記データベースサーバーから前記リンク情報を抽出することを特徴とする、本発明（２５）の方法である。
本発明（２７）は、
前記段階（ａ）において、前記第２の携帯端末機が、前記第１の携帯端末機のオペレーティングシステムに対する情報を前記識別情報と共に前記第１の携帯端末機から受信し、
前記段階（ｂ）において、前記第２の携帯端末機が、前記オペレーティングシステム情報に基づいて前記識別情報に対応する前記リンク情報を抽出する
ことを特徴とする、本発明（２５）の方法である。
本発明（２８）は、
（ｄ）前記第２の携帯端末機が、ダウンロードした前記アプリケーションファイルをインストールする機能を行うインストールプログラムを前記段階（ｃ）より前に受信してインストールする段階
をさらに含むことを特徴とする、本発明（２５）の方法である。
本発明（２９）は、
前記段階（ａ）において、前記第２の携帯端末機が、前記第１の携帯端末機のユーザーが前記アプリケーションを使用することで生成された付加データを前記識別情報と共に前記第１の携帯端末機から受信することを特徴とする、本発明（２５）ないし本発明（２８）のいずれか一発明の方法である。
本発明（３０）は、
前記段階（ａ）において、前記第２の携帯端末機が、前記アプリケーションに対する前記第１の携帯端末機のユーザーによる使用回数、使用時刻、及び使用時間のうち少なくとも一つ以上を含む使用情報を前記識別情報と共に前記第１の携帯端末機から受信することを特徴とする、本発明（２５）ないし本発明（２８）のいずれか一発明の方法である。
本発明（３１）は、
前記第２の携帯端末機が前記使用情報をディスプレーを通じて外部に表示することを特徴とする、本発明（３０）の方法である。
本発明（３２）は、
前記段階（ａ）において、前記第２の携帯端末機が、前記第１の携帯端末機のユーザーの前記アプリケーションに対するライセンス情報を前記識別情報と共に前記第１の携帯端末機から受信し、
前記段階（ｃ）において、前記第２の携帯端末機が、前記アプリケーションマーケットから前記アプリケーションファイルをダウンロードするために前記ライセンス情報を前記アプリケーションマーケットに伝送することを特徴とする、本発明（２５）ないし本発明（２８）のいずれか一発明の方法である。
【発明の効果】
【００１８】
本発明によれば、新しい携帯端末機の購入時に既存の携帯端末機にインストールされていたアプリケーションを新規の携帯端末機に容易にインストールすることができる。
【図面の簡単な説明】
【００１９】
【図１】本発明の一実施形態に係る携帯端末機間のアプリケーション移動装置が既存及び新規の携帯端末機に連結された状態を示す図面である。
【図２】図１の移動装置により行われるアプリケーションの移動及びインストール過程を示す図面である。
【図３】図２の他の実施形態を示す図面である。
【図４】本発明のもう一つの実施形態に係るアプリケーションの移動及びインストール方法を行うために既存及び新規の携帯端末機を連結した状態を示す図面である。
【図５】図４の状態で行われるアプリケーションの移動及びインストール過程を示す図面である。
【図６】図５の変形例を示す図面である。
【発明を実施するための形態】
【００２０】
以下、添付図面を参照して本発明の好ましい実施形態をより具体的に説明する。
図１は本発明の一実施形態に係る携帯端末機間のアプリケーション移動装置が既存及び新規の携帯端末機に連結された状態を示す図面である。本発明において「携帯端末機」とは、スマートフォンやタブレットＰＣのような端末機のうち、アプリケーションをインストールして駆動させることができる機能が搭載されたあらゆる種類の端末機を称するものと定義する。
【００２１】
図１で図面符号１０はユーザーが使用している既存の携帯端末機（以下、「第１の携帯端末機」という）であり、図面符号２０はユーザーが新しく使用する新規の携帯端末機（以下、「第２の携帯端末機」という）であり、図面符号３０は第１の携帯端末機１０と第２の携帯端末機２０との間のアプリケーション移動プロセスを行う移動装置３０である。この移動装置３０は、本発明に係る移動方法を行うプログラムを通常のコンピュータに搭載して構成することによって、一般的なコンピュータが移動装置として機能する。図面符号４０は携帯端末機１０、２０用のアプリケーションを有料または無料でダウンロードして使用することができるように提供するウェブサイトであるアプリケーションマーケット（ａｐｐｌｉｃａｔｉｏｎ  ｍａｒｋｅｔ）として、例えばｉフォン（ｉ-ｐｈｏｎｅ）用のアプリケーションを提供するアップストアやアンドロイドフォン用のアプリケーションを提供するアンドロイドマーケットのようなものを意味する。さらに、本発明におけるアプリケーションマーケット４０は移動装置３０がアプリケーションを受け取ることができるあらゆる手段を含む意味に定義するものであって、例えばＣＤ（コンパクトディスク）やＵＳＢメモリなどのような格納媒体にアプリケーションを保存した状態で配布／流通させる場合、このような格納媒体を移動装置３０内に備えた格納媒体読み取り装置を通じて読み出すことによって、移動装置３０がアプリケーションを得る場合も含む。
【００２２】
図２は図１の移動装置により行われるアプリケーションの移動及びインストール過程を示す図面である。
まず、第１の携帯端末機１０を移動装置３０とデータ通信可能に連結する。これらの連結はＵＳＢケーブルのような有線ケーブルにより行うことが一般的であるが、ＷｉＦｉ、ブルートゥース、３Ｇ、４Ｇ、ＷｉＢｒｏ（ｗｉｒｅｌｅｓｓ  ｂｒｏａｄ  ｂａｎ（ｄ）、またはＮＦＣ（ｎｅａｒ  ｆｉｅｌｄ  ｃｏｍｍｕｎｉｃａｔｉｏｎ）方式などのように、広域通信あるいは近距離通信を通じて互いにデータを交換できる多様な方式を採用できる。第１の携帯端末機１０を移動装置３０に連結すると、移動装置３０は第１の携帯端末機１０の機種を識別することによって、第１の携帯端末機１０に使用しているオペレーティングシステム（ｏｐｅｒａｔｉｎｇ  ｓｙｓｔｅｍ、ＯＳ）の種類や第１の携帯端末機１０に採用しているデータフォーマットなどに対する情報が分かる。このために携帯端末機の機種別に使用するオペレーティングシステムやデータフォーマットに対する情報を移動装置３０に予め備えることが好ましい。
【００２３】
第１の携帯端末機１０を移動装置３０に連結した状態で、移動装置３０は第１の携帯端末機１０に抽出プログラムを伝送してインストールする（Ｓ１１０）。抽出プログラムは第１の携帯端末機１０に既にインストールされているアプリケーションに対する識別情報を抽出するためのプログラムであって、携帯端末機に採用されている多様なオペレーティングシステムに適合するように製作し、移動装置３０に予めインストールしたソフトウェアである。携帯端末機にインストールされたオペレーティングシステムのうち一部は、このような抽出プログラムの機能を支援するものもあるので、場合によっては抽出プログラムが不要であり、この場合には抽出プログラムを伝送してインストールするＳ１１０段階を省略する。例えばｉフォンに採用されているオペレーティングシステムの場合にはｉフォンに既にインストールされたアプリケーションの識別情報を抽出することを許容しているので、抽出プログラムの伝送が不要である。しかし、グーグル（Ｇｏｏｇｌｅ）のオペレーティングシステムを搭載している所謂アンドロイドフォンの場合にはアプリケーションに対する識別情報の抽出機能を提供していないため、アンドロイドフォンにインストール可能な抽出プログラムを予め製作し、これを第１の携帯端末機１０に伝送してインストールしなければならない。
【００２４】
ここで識別情報は、アプリケーションを他のアプリケーションと区別して識別するための一種のコードである。この識別情報は、アプリケーションの製作者により、または製作者がアプリケーションを登録したアプリケーションマーケット４０の管理者により各アプリケーション別に与えた情報で構成することができる。また識別情報は特定オペレーティングシステムにおいて各アプリケーションを互いに区分する固有情報で構成することができる。さらに識別情報は各アプリケーションのアプリケーションマーケット４０における位置を代表する固有情報（例えばＵＲＬのような情報）で構成することができる。あらゆるアプリケーションにはそれぞれを区分できる情報が含まれているが、仮にそのような情報を含んでいない場合は、アプリケーションに対するいくつの情報を混合して識別情報として使用することができる。現在は、あらゆるオペレーティングシステムでアプリケーション自体を区分する固有の識別情報が存在する。
【００２５】
抽出プログラムはアプリケーションから識別情報を抽出し（Ｓ１２０）、これを移動装置３０に伝送し（Ｓ１３０）、これによって移動装置３０による識別情報の抽出が完了する。
【００２６】
第１の携帯端末機１０から識別情報が抽出さると、移動装置３０は識別情報を通じてどんなアプリケーションがインストールされていているかが分かる。抽出した識別情報を用いてアプリケーションを特定するために、移動装置３０は外部データベースの助けを借りなければならない。すなわち、識別情報に対応するアプリケーションを特定するために、移動装置３０はアプリケーション製作者やアプリケーションマーケット４０の管理者、またはこれらの者から委託を受けた識別情報管理業者が運営する別途のデータベースサーバー（不図示）からこのような識別情報を予め受け取り、これを各アプリケーション別にマッチングさせてデータベース化して格納していなければならない。または、移動装置３０はデータベースサーバーからこのような識別情報とアプリケーションに対してマッチングされたデータのデータベースを移動動作を行う時ごとにリアルタイム（ｒｅａｌ-ｔｉｍｅ）で照会して受け取ることもできる。一例として、データベースは特定アプリケーションマーケット４０内での各アプリケーションの位置、または複数のアプリケーションマーケット４０内で各アプリケーションを特定するための情報を含むことができる。
【００２７】
識別情報は個人情報の保護のために抽出プログラムにより、または移動装置３０により暗号化できる。
移動装置３０はアプリケーションマーケット４０に接続して識別情報に対応するアプリケーションを検索する（Ｓ１４０）。この時、移動装置３０が識別情報自体をアプリケーションマーケット４０に伝送してアプリケーションを検索することもでき、前述したようにデータベースサーバー（不図示）を通じて得た個々の識別情報に対応するアプリケーションに対する情報を用いて移動装置３０自体が当該アプリケーションをアプリケーションマーケット４０から検索することもできる。アプリケーションマーケット４０で同一のアプリケーションの存在を確認すると、移動装置３０はアプリケーションマーケット４０から当該アプリケーションファイルをダウンロードし（Ｓ１５０）、これによって移動装置３０には該アプリケーションファイルが格納される。
【００２８】
次に、移動装置３０はダウンロードしたアプリケーションファイルを新規の携帯端末機である第２の携帯端末機２０にインストールする作業を行うようになる。
このために、まず第２の携帯端末機２０はデータ通信可能に移動装置３０に連結する必要があり、連結方法は第１の携帯端末機２０の場合と同様である。図１には第１の携帯端末機１０と第２の携帯端末機２０を同時に連結したことが示されているが、実際には第１の携帯端末機１０から識別情報の抽出が完了した後に第１の携帯端末機１０を移動装置３０から分離し、その後に第２の携帯端末機２０を移動装置に連結することが一般的である。
【００２９】
第２の携帯端末機２０が連結された状態で、移動装置３０は第１の携帯端末機１０の場合と同様に、第２の携帯端末機２０の機種を識別してオペレーティングシステムなどを識別し、これに基づいて必要の時、第２の携帯端末機１０にインストールプログラムを伝送してインストールする（Ｓ１６０）。インストールプログラムは第２の携帯端末機２０にアプリケーションファイルを伝送する場合、第２の携帯端末機２０が受信したファイルのインストールを行うように起動するプログラムである。このインストールプログラムもやはり携帯端末機に採用されている多様なオペレーティングシステムに適合するように製作して移動装置３０に予めインストールしたソフトウェアである。抽出プログラムの場合と同様に、一部オペレーティングシステムではインストールプログラムの機能を支援するので、このような場合にはインストールプログラムを伝送してインストールする段階（Ｓ１６０）を省略できる。
【００３０】
次に、移動装置３０はアプリケーションファイルを第２の携帯端末機２０に伝送する（Ｓ１７０）。第２の携帯端末機２０のインストールプログラムは伝送されたアプリケーションファイルのインストール作業を行い（Ｓ１８０）、これによって新規の携帯端末機である第２の携帯端末機２０内に第１の携帯端末機１０にインストールされていたアプリケーションが自動でインストールされる。
【００３１】
このような本発明によれば、既存の携帯端末機にインストールされていたアプリケーションが新規の携帯端末機に自動でインストールされる。したがってユーザーが携帯端末機を交替する時ごとに自分が既存に使用しているアプリケーションを一つ一つ新しくインストールする必要がなく、自分が使用しているアプリケーションの目録を把握して一つ一つアプリケーションマーケット４０から検索してインストールする不便さを解消することができる。
【００３２】
一方、本発明に係る前記実施形態は次のように多様に変形できる。
第１の携帯端末機１０のオペレーティングシステムと第２の携帯端末機２０のオペレーティングシステムが相異なる場合があり得る。例えば第１の携帯端末機１０はｉフォンであり、第２の携帯端末機２０はアンドロイドフォンの場合、両者はオペレーティングシステムが相異なり、アプリケーションマーケット４０もやはり、第１の携帯端末機１０のアプリケーションをダウンロードできるアプリケーションマーケットと第２の携帯端末機２０のアプリケーションをダウンロードできるアプリケーションマーケットが相異なっている。このような場合、第２の携帯端末機２０に移動されるアプリケーションは第２の携帯端末機２０のオペレーティングシステムに適合するものでなければならない。したがって、Ｓ１４０段階において検索する対象は第１の携帯端末機１０用のアプリケーションマーケットではなく第２の携帯端末機２０用のアプリケーションマーケットである必要がある。通常、アプリケーション製作者は同一の機能を行う一つのアプリケーションを多数のオペレーティングシステムに適合するように多種を製作し、これらを当該アプリケーションマーケットにそれぞれ登録しておく。したがって、同一の製作者が提供する同一の機能を有する多種のアプリケーションには一つの識別情報を与えることができ、または多種のアプリケーションに対して相異なる識別情報を与えてもこれらが互いに同一のアプリケーションであることを移動装置３０に予め知らせることができる。したがって、移動装置３０は第２の携帯端末機２０に対して識別された機種に基づいて第２の携帯端末機２０に適合するアプリケーションマーケット４０を選択した後に、第１の携帯端末機１０から抽出された識別情報のみによってもこの識別情報に対応するように構成したアプリケーションを第２の携帯端末機２０用のアプリケーションマーケット４０から検索してダウンロードできる。
【００３３】
一方、前述した実施形態においては、Ｓ１２０段階及びＳ１３０段階において移動装置３０が識別情報のみを抽出及び伝送することを例示したが、これと共に第１の携帯端末機１０のアプリケーションに付加されている付加データを抽出して伝送するようにすることができる。ここで付加データとは、ユーザーが個々のアプリケーションを使用することで生成されて格納されているデータとして、個々のアプリケーションに対してユーザーが設定した環境設定データ、アプリケーションの使用中にユーザーが入力したデータ、またはアプリケーションを使用する間にアプリケーションにより自動で生成されたデータのようなものがある。例えば、個人日程管理のためのアプリケーションが存在する場合、ユーザーは個人日程管理プログラムに特定日程を記録しておくと共に、記録された日程に対して決まった時刻になる１時間前にアラームを鳴動させるように環境設定を行うことができる。本発明において付加データとは、このような日程データと環境設定データなどを意味する。付加データはアプリケーションの使用によってユーザーが入力したりアプリケーション自体により生成されて累積され、通常には当該アプリケーションにより割り当てられた特定データホルダーに格納されている。
【００３４】
本発明ではＳ１２０段階およびＳ１３０段階において抽出プログラムがこのような付加データを共に抽出して伝送し、これを受信した移動装置３０はＳ１７０段階におけるアプリケーションファイルの伝送時、このような付加データを共に伝送する。Ｓ１８０段階においてインストールプログラムは、アプリケーションファイルを第２の携帯端末機２０にインストールすると共に、アプリケーションにより割り当てられたデータホルダーに付加データを記録する機能を行う。これによると、アプリケーションを単純に自動でインストールする上で、アプリケーションごとに個々の累積されたデータと環境設定状態が同一に新規の携帯端末機でも自動で実現される。したがって、ユーザーの使用便宜性がより一層高まる。
【００３５】
また、Ｓ１２０段階及びＳ１３０段階において移動装置３０が識別情報と共に個々のアプリケーションに対する使用情報を抽出して伝送するように構成することもできる。ここで使用情報とは、各アプリケーションに対する第１の携帯端末機１０のユーザーによる使用回数、使用時刻、及び使用時間のうち、少なくとも一つ以上を含む情報を意味する。これはユーザーがどのアプリケーションを特定の頻度または特定の選好度で使用してきたかを知らせる情報である。通常、このような使用情報は各アプリケーションに対応するデータとしてオペレーティングシステム自体に格納されており、これを抽出することで、移動装置３０は使用情報を受信することができる。
【００３６】
このような使用情報は多様な方式で活用できる。一例として、移動装置３０がＳ１７０段階においてアプリケーションファイルを第２の携帯端末機２０に伝送する時、使用情報を共に伝送できる。この使用情報はＳ１８０段階のアプリケーションインストール過程を行う前に第２の携帯端末機２０のディスプレーに表示することができ、ユーザーは移動装置３０に表示された使用情報に基づいて、自分が頻繁に使用するかまたは実質的に使用していないアプリケーションの情報が分かる。この場合、Ｓ１４０段階ないしＳ１８０段階はユーザーの選択により行われるようにすることができる。すなわち、移動装置３０は表示された使用情報を照会したユーザーから各アプリケーションに対して第２の携帯端末機２０に対してもインストールを望むか否かを尋ねるアプリケーションに対する個別的な選択命令の入力要請を受けることができる。ユーザーは自分が選択したアプリケーションのみをアプリケーションマーケット４０からダウンロードし、これを第２の携帯端末機２０に伝送することによって、新規の携帯端末機にアプリケーションを選別的にインストールすることができる。ユーザーが各アプリケーションに対する使用頻度などが容易に分かるように、使用情報自体を移動装置３０などにより特定の形態に加工できる。
【００３７】
一方、前述したＳ１２０段階及びＳ１３０段階においては、移動装置が識別情報と共に第１の携帯端末機１０に格納されているライセンス情報を抽出して伝送するように構成できる。ここで、ライセンス情報とは第１の携帯端末機１０のユーザーが第１の携帯端末機１０にインストールされたアプリケーションに対する正当な使用権限が与えられたライセンシー（ｌｉｃｅｎｓｅｅ）であることを認証する情報を意味する。アプリケーションによっては、ユーザーがアプリケーションをダウンロードする権限または使用する権限をアプリケーション製作者またはアプリケーションマーケット管理者が与えた場合に限ってダウンロードまたは使用することができるように移動装置を構成した場合がある。このような使用権限であるライセンスを要求することは、通常にアプリケーションが有料で構成されてアプリケーションのダウンロードまたは使用のために代金決済を要求する場合が多い。ところが、Ｓ１５０段階において移動装置がこのような種類のアプリケーションをダウンロードするか、またはアプリケーションを新しくインストールした第２の携帯端末機２０のユーザーがアプリケーションを用いるためには、既存に代金決済などを通じてライセンスを取得した事実を立証する情報を有していなければならない。したがって、このようなライセンス情報を移動装置３０が第１の携帯端末機１０から抽出し、これをダウンロードする時、アプリケーションマーケット４０に提供するか、またはこれと共にまたは選択的にライセンス情報を第２の携帯端末機２０に伝送して格納することによって、新しい携帯端末機２０でもアプリケーションのインストール及び利用を可能にすることができる。
【００３８】
図３は図２の他の実施形態を示す図面である。図３の実施形態についての説明においては、図２の実施形態と実質的に同一の部分についての重複説明は省略する。
本実施形態において移動装置３０が抽出プログラムを第１の携帯端末機１０に伝送し、第１の携帯端末機１０が識別情報を抽出し、これを移動装置３０に伝送する過程（Ｓ２１０、Ｓ２２０、Ｓ２３０）は、図２のＳ１１０、Ｓ１２０、Ｓ１３０段階と同様である。
本実施形態において図２の実施形態と相異なる点は、移動装置３０が受信した識別情報に基づいてリンク情報を抽出することである。ここで、リンク情報とは識別情報に対応するアプリケーションをダウンロードできる情報（ｕｎｉｆｏｒｍ  ｒｅｓｏｕｒｃｅ  ｉｄｅｎｔｉｆｉｅｒ、ＵＲＩ：インターネット上にあるコンテンツを示す固有住所の概念であり、例えばＨＴＭＬリンク情報）である。このリンク情報を選択して実行させると、実行された端末機は当該アプリケーションマーケット４０内の当該アプリケーションをダウンロードできる画面にリンクして、識別情報に対応するアプリケーションを直ちにダウンロードできるようになる。
【００３９】
移動装置３０は各識別情報に対応するリンク情報を前述したようなデータベースサーバー（不図示）からリアルタイムで受け取るか、または予め受け取って備えている。したがって、移動装置３０は第１の携帯端末機１０から識別情報を受信することによって、これに対応するリンク情報を抽出でき（Ｓ２４０）、抽出されたリンク情報を第２の携帯端末機２０に伝送して提供する（Ｓ２５０）。第２の携帯端末機２０は、伝送されたリンク情報を自分のディスプレーに表示（Ｓ２６０）してユーザーが照会できるようにし、ユーザーは表示されたリンク情報を実行させることによって、リンク情報が示すアプリケーションマーケット４０のアプリケーションダウンロード画面に直ちに接続できる（Ｓ２７０）。これによってユーザーは第２の携帯端末機２０でアプリケーションマーケット４０から当該アプリケーションをダウンロードできる（Ｓ２８０）。ダウンロードしたアプリケーションは第２の携帯端末機２０にインストールされる（Ｓ２９０）。
このような実施形態によれば、移動装置３０が第２の携帯端末機２０にリンク情報を提供することによって、ユーザーが既存の携帯端末機１０にインストールされているアプリケーションを容易に新規の携帯端末機２０に移動してインストールすることができる。
【００４０】
さらに、本発明によれば移動装置３０がアプリケーションファイルをアプリケーションマーケット４０からダウンロードし、これをまた第２の携帯端末機２０に伝送する二段階の過程を行わず、第２の携帯端末機２０自体が直接リンク情報を用いてアプリケーションファイルをダウンロードする。これによって前述した実施形態に比べて、アプリケーションインストール過程におけるエラー発生を低減することができ、また第２の携帯端末機２０のユーザー自身が直接個々のアプリケーションに対する再インストールの可否を第２の携帯端末機２０の操作により選択するようにして、便宜を提供することもできる。
【００４１】
一方、本実施形態においても前述した図２の実施形態に採用した多様な変形例を適用することができる。
例えば、第１の携帯端末機１０と第２の携帯端末機２０とのオペレーティングシステムが相異なる場合、移動装置３０は第２の携帯端末機２０のオペレーティングシステムに対応しているアプリケーションマーケット４０に対するリンク情報を抽出する。このために、移動装置３０は同一のアプリケーションに対する各アプリケーションマーケット４０のリンク情報を前述したデータベースサーバーなどから受け取ることができなければならない。
【００４２】
また、本実施形態においても第１の携帯端末機１０のアプリケーションに付加されている付加データをＳ２２０段階において識別情報の抽出時に共に抽出し、これをＳ２６０段階において移動装置３０がリンク情報の伝送時に共に伝送するようにすることによって、Ｓ２９０段階においてアプリケーションファイルをインストールする際、アプリケーションに対応して付加データを格納することができる。
【００４３】
また本実施形態においても移動装置３０が識別情報と共に個々のアプリケーションに対する使用情報を抽出して伝送するように構成でき、このような使用情報の活用は前述した実施形態と同様である。
【００４４】
また本実施形態においても移動装置３０が識別情報と共に個々のアプリケーションに対するライセンス情報を抽出し、これを第２の携帯端末機２０に伝送するように構成でき、このようなライセンス情報の活用は前述した実施形態と同様である。
【００４５】
さらに本実施形態においても図２の実施形態と同様に、必要時にインストールプログラムを第２の携帯端末機２０に伝送してインストールすることができる。
【００４６】
図４及び図５は本発明のもう一つの実施形態を示す図面であって、図４は本実施形態によって既存の携帯端末機と新規の携帯端末機を互いに連結した状態を示す図面であり、図５は図４の状態でアプリケーションが移動及びインストールされる過程を示す図面である。図４及び図５において図１の構成要素と実質的に同一の構成要素である第１の携帯端末機、第２の携帯端末機、及びアプリケーションマーケットに対しては同一の参照符号を使用して引用する。本実施形態においてはデータベースサーバー５０をさらに含んでいる。
【００４７】
本実施形態においては図１ないし図３の実施形態とは異なり、移動装置３０を介さず既存の携帯端末機１０を新規の携帯端末機２０に直接連結し、これらの間でアプリケーションの移動を直接行う場合を例示する。すなわち、本実施形態は第１の携帯端末機１０にアプリケーションの移動のための別途の移動プログラムがインストールされた状態で、該プログラムによりアプリケーションの移動作業を行う方式を例示する。この時、アプリケーションの移動過程は図３に示すリンク情報を伝送する方式と概念的に非常に似ている。ただし移動装置３０なしに、リンク情報の伝送を行う点が図３と相異なる。
【００４８】
まず図４を参照すると、第１の携帯端末機１０と第２の携帯端末機２０とを直接データ通信可能に連結する。これらの間の連結は、有線ケーブルによる直接連結方式、ブルートゥースのような近距離通信を用いた連結方式、及びＷｉＦｉや３Ｇ無線インターネット通信などのような多様な方式で行うことができる。
【００４９】
図５を参照すると、まず第１の携帯端末機１０はその内部にインストールされているアプリケーションの識別情報を抽出するための抽出プログラムをアプリケーションマーケット４０から受信する（Ｓ３１０）。ここで、抽出プログラムは前述した実施形態における抽出プログラムと同一の機能を行うプログラムである。本実施形態においては移動装置が別途に存在しないので、アプリケーションマーケット４０から抽出プログラムをダウンロードして第１の携帯端末機１０にインストールする。前述した実施形態と同様に、第１の携帯端末機１０のオペレーティングシステムがこのような抽出プログラムの機能を支援する場合には、抽出プログラムをダウンロードするための別途の過程は不要である。
【００５０】
前述したように本実施形態においては、第１の携帯端末機１０によりアプリケーションの移動機能を行うための移動プログラムが第１の携帯端末機１０にインストールされている必要がある。このような移動プログラムはユーザーの便宜のために第１の携帯端末機１０の発売時、予めインストールすることもでき、または本発明に係る移動過程をユーザーが行うことを望む時、ユーザーがアプリケーションマーケット４０からダウンロードして第１の携帯端末機１０にインストールすることもできる。後者の場合のために、Ｓ３１０段階において受信した抽出プログラムを移動プログラムと一体のプログラムとして製作することによって、ユーザーが第１の携帯端末機１０のために移動プログラムをダウンロードする作業を行う時、識別情報の抽出機能も共に提供する（すなわち、抽出プログラムを含む）移動プログラムを第１の携帯端末機１０に提供することが好ましい。これによると、ユーザーは移動のための移動プログラムをアプリケーションマーケット４０などから別途のアプリケーションをダウンロードする方式でダウンロードすることによって、移動機能及び識別情報抽出機能を有する移動プログラムを第１の携帯端末機１０に一度にインストールすることができる。
【００５１】
このような移動プログラム（または抽出プログラム）を実行させることによって、第１の携帯端末機１０はその内部にインストールされているアプリケーションの識別情報を抽出する（Ｓ３２０）。次に、第１の携帯端末機１０は識別情報に対応するアプリケーションをダウンロードできるアプリケーションマーケット４０に対する接続経路を提供するリンク情報を抽出する。
【００５２】
識別情報を用いてリンク情報を抽出するために、第１の携帯端末機１０をデータベースサーバー５０に接続する。ここで、データベースサーバー５０はアプリケーションの製作者、アプリケーションマーケット４０の管理者、またはこれらの者からリンク情報を受け取って管理する業者が運営するサーバーであり、識別情報と、それにそれぞれ対応するリンク情報に対するデータをデータベース化して格納しているサーバーである。このようなデータベースサーバー５０は、実質的には前述した実施形態におけるデータベースサーバー（不図示）と同一の方式で実現される。第１の携帯端末機１０がデータベースサーバー５０に接続されて識別情報をデータベースサーバー５０に伝送すると、データベースサーバー５０はその内部のデータベースを用いて該当識別情報に対応するリンク情報を照会し、これを第１の携帯端末機１０に伝送する。これによって第１の携帯端末機１０による識別情報の伝送及びリンク情報の照会が行われ（Ｓ３３０）、第１の携帯端末機１０はデータベースサーバー５０からリンク情報を受信することによって、リンク情報を抽出するようになる（Ｓ３４０）
【００５３】
一方、前述した実施形態と同様に、第１の携帯端末機１０と第２の携帯端末機２０とのオペレーティングシステムが相異なる場合には、第２の携帯端末機２０用オペレーティングシステムに対応しているアプリケーションマーケット４０に対するリンク情報を抽出しなければならない。このためには第１の携帯端末機１０と第２の携帯端末機２０が連結された時、移動プログラムが第２の携帯端末機２０のオペレーティングシステムの種類を読み出さなければならない。
【００５４】
リンク情報の抽出のために図５の実施形態においては第１の携帯端末機１０をデータベースサーバー５０に接続して、リアルタイムで識別情報を伝送してリンク情報を照会する方式（Ｓ３３０）を例示する。しかし、これとは異なり第１の携帯端末機１０により移動過程を行う前に予めデータベースサーバー５０に接続して、識別情報とリンク情報に対するデータベース自体をダウンロードして格納するか、または識別情報の抽出段階（Ｓ３２０）の後にデータベース自体をデータベースサーバー５０からダウンロードして格納することもできる。この場合、第１の携帯端末機１０は、その内部にダウンロードして格納したデータベース自体に照会してリンク情報を抽出する。
【００５５】
リンク情報の抽出が完了すると、第１の携帯端末機１０は抽出されたリンク情報を第２の携帯端末機２０に伝送する（Ｓ３５０）。その後の過程、すなわち第２の携帯端末機２０に伝送されたリンク情報を表示し（Ｓ３６０）、ユーザーの操作によってリンク情報を実行してアプリケーションマーケット４０に接続し（Ｓ３７０）、アプリケーションマーケット４０からアプリケーションファイルをダウンロードし（Ｓ３８０）、これをインストールする過程（Ｓ３９０）は、前述した図３の実施形態と同様であるので、これについての重複説明は省略する。
【００５６】
前述した実施形態と同様に、第２の携帯端末機２０のオペレーティングシステムがダウンロードしたアプリケーションファイルを自動でインストールする機能を支援しない場合は、第２の携帯端末機２０が前述したようなインストールプログラムを予めアプリケーションマーケット４０からダウンロードしてインストールしなければならない。この時、本実施形態においては前述した移動プログラムがインストールプログラムの機能も含むように製作することによって、ユーザーの便宜を図ることができる。結果的に、本実施形態における移動プログラムは、第１の携帯端末機１０がその内部のアプリケーションに対する識別情報を抽出する機能、抽出した識別情報に対応するリンク情報を抽出する機能、第１の携帯端末機１０から第２の携帯端末機２０にリンク情報を伝送する機能、及びリンク情報を受信した第２の携帯端末機２０がリンク情報を実行させてアプリケーションマーケット４０に接続し、アプリケーションファイルをダウンロードしてアプリケーションをインストールする機能などの諸般機能を全て行うように製作する。これによってユーザーの立場では一つの移動プログラムをＡＰＰダウンロード方式で二つの携帯端末機１０、２０にそれぞれダウンロードした後、単に二つの携帯端末機１０、２０を連結することで、アプリケーションの移動に必要な諸般作業を全て完了できる便宜を与える。
【００５７】
このような本実施形態によれば、ユーザーが移動プログラムをアプリケーションマーケット４０などからダウンロードした後、第１の携帯端末機１０と第２の携帯端末機２０を直接データ通信可能に連結することによって、別途の移動装置３０を介さずにアプリケーションを移動してインストールできる便宜を与える。
【００５８】
一方、本実施形態においても前述した実施形態と同様に、Ｓ３２０段階において第１の携帯端末機１０が前記識別情報と共に付加データを抽出し、Ｓ３５０段階においてリンク情報と共に付加データを第２の携帯端末機２０に伝送して格納する方式を採用できる。
【００５９】
また、同様に、Ｓ３２０段階において第１の携帯端末機１０がアプリケーションに対する使用情報を抽出し、Ｓ３５０段階においてリンク情報と共に使用情報を第２の携帯端末機２０に伝送する方式、及び第２の携帯端末機２０が受信した使用情報を自分のディスプレーを通じて外部に表示する方式を採用できる。
【００６０】
また、同様に、Ｓ３２０段階において第１の携帯端末機１０がアプリケーションに対するライセンス情報を抽出し、Ｓ３５０段階においてリンク情報と共にライセンス情報を第２の携帯端末機２０に伝送する方式を採用できる。この場合、第２の携帯端末機２０はライセンス情報をＳ３７０段階においてアプリケーションマーケット４０に提供するようになる。
【００６１】
図６は図５の実施形態の変形例を示す図面である。
前述した図５の本実施形態においてはＳ３３０段階ないしＳ３５０段階を第１の携帯端末機１０により行うことを例示した。反対に、本変形例においては該段階を第２の携帯端末機２０により行うことを例示する。図６ではＳ３３０ａ、Ｓ３４０ａ、Ｓ３５０ａの段階のみが図５と異なり、その他の段階は図５と同様である。したがって、同一の段階は同一の参照符号を付し、その重複説明は省略する。
【００６２】
本変形例においては、Ｓ３２０段階において第１の携帯端末機１０が識別情報を抽出した後、抽出された識別情報を第２の携帯端末機２０に伝送する（Ｓ３３０ａ）。識別情報を受信した第２の携帯端末機２０は識別情報をデータベースサーバー５０に伝送し、データベースサーバー５０内部のデータベースから該当識別情報に対応するリンク情報を照会する（Ｓ３４０ａ）。データベースサーバー５０は照会したリンク情報を第２の携帯端末機２０に伝送し（Ｓ３５０ａ）、これによって第２の携帯端末機２０は該当アプリケーションに対するリンク情報を抽出するようになる。その後に、第２の携帯端末機２０がリンク情報を表示し（Ｓ３６０）、これを実行させ（Ｓ３７０）、アプリケーションをアプリケーションマーケット４０からダウンロードし（Ｓ３８０）、これをインストールする（Ｓ３９０）過程は、図５の実施形態と同様である。
【００６３】
一方、第１の携帯端末機１０と第２の携帯端末機２０とのオペレーティングシステムが相異なる場合に備えて、Ｓ３３０ａ段階における識別情報の伝送時、第１の携帯端末機１０は自分のオペレーティングシステムを知らせる情報を第２の携帯端末機２０に共に伝送することが好ましい。これによると、第２の携帯端末機２０がＳ３４０ａ段階において識別情報を伝送する時、第１の携帯端末機１０のオペレーティングシステム情報（及びこれと共に第２の携帯端末機２０自体のオペレーティングシステム情報）を共に伝送することによって、Ｓ３５０ａでデータベースサーバー５０がオペレーティングシステム情報に基づいて第２の携帯端末機２０で要求するリンク情報を容易に抽出できるようになる。
【００６４】
一方、本変形例においても前述した実施形態と同様に、第２の携帯端末機２０がインストールプログラムをＳ３９０段階前に受信してインストールする方式、第２の携帯端末機２０が第１の携帯端末機１０から識別情報と共に付加データを受信する方式、第２の携帯端末機２０が第１の携帯端末機１０から前記識別情報と共に使用情報を受信し、これを第２の携帯端末機２０のディスプレーを通じて外部に表示する方式、第２の携帯端末機２０が第１の携帯端末機１０から識別情報と共にライセンス情報を受信し、これをアプリケーションマーケット４０に伝送する方式などの多様な方式を採用できる。
【００６５】
一方、前述した実施形態のうち、図２及び図３の実施形態は主に携帯端末機の販売代理店や携帯端末機に対するアフターサービスを行うサービスセンターで使用するに適合した方式である。すなわち、代理店やサービスセンターでは本発明に係る移動及びインストールのサービスを行うプログラムを予めコンピュータにインストールして移動装置３０を構成し、ユーザーが既存の携帯電話を新規の携帯電話に交替しようとする場合、本実施形態の作業を行う。またはユーザーが使用している携帯電話のオペレーティングシステムを再びインストールしようとする場合、オペレーティングシステムの再インストールにより既存のアプリケーションが削除される。したがって、既存のアプリケーションに対する容易な再インストールのために本発明を適用することもできる。
【００６６】
図１ないし図３の実施形態における移動装置３０を構成するコンピュータは、通常にハードディスク、メインメモリ、ＣＰＵ、インターフェース、ディスプレーなどを備えており、このような図２及び図３の実施形態で移動動作を行うあらゆるプログラムは、ハードディスクに格納されてコンピュータの起動時にメインメモリで駆動する。これによってＣＰＵは全体的なアプリケーションの移動及びインストール動作を制御する主制御部として動作し、インターフェースは第１の携帯端末機１０及び第２の携帯端末機２０がコンピュータとデータ通信を行う接続手段を提供し、ディスプレーは移動及びインストールの過程での進行状況をユーザーに表示する手段を提供する。
【００６７】
図４ないし図６の実施形態は主にユーザー自身が直接、既存の携帯端末機から新規の携帯端末機にアプリケーションを移動する作業を行おうとする時に使用する方式である。前述したように、この場合、ユーザーはアプリダウンロード方式で移動プログラムを第１の携帯端末機１０及び／または第２の携帯端末機２０にダウンロードしてインストールした後、これらの端末機を互いに連結する。これによって第１の携帯端末機１０と第２の携帯端末機２０がそれぞれコンピュータとして動作する。したがって、この場合には第１の携帯端末機１０と第２の携帯端末機２０がそれぞれフラッシュメモリ、メインメモリ、ＣＰＵ、インターフェース、ディスプレーなどを備えており、図４ないし図６の実施形態で移動動作を行う移動プログラムはフラッシュメモリに格納されてコンピュータ起動時、メインメモリで駆動する。これによってＣＰＵは移動プログラムによるアプリケーションの移動及びインストール動作を制御する主制御部として動作し、インターフェースは第１の携帯端末機１０と第２の携帯端末機２０が互いにデータ通信を行う接続手段を提供し、ディスプレーは移動及びインストールの過程での進行状況をユーザーに表示する手段を提供する。
【００６８】
一方、本明細書において本発明をいくつかの好ましい実施形態によって記述したが、当業者ならば、添付の特許請求の範囲に開示した本発明の範疇及び思想から外れずに、多くの変形及び修正がなされ得ることが理解できるはずである。
【符号の説明】
【００６９】
１０        第１の携帯端末機
２０        第２の携帯端末機
３０        移動装置
４０        アプリケーションマーケット
５０        データベースサーバー
Ｓ１１０    抽出プログラム伝送
Ｓ１２０    識別情報抽出
Ｓ１３０    識別情報伝送
Ｓ１４０    識別情報を用いてアプリケーション検索
Ｓ１５０    アプリケーションファイルダウンロード
Ｓ１６０    インストールプログラム伝送
Ｓ１７０    アプリケーションファイル伝送
Ｓ１８０    アプリケーションインストール
Ｓ２１０    抽出プログラム伝送
Ｓ２２０    識別情報抽出
Ｓ２３０    識別情報伝送
Ｓ２４０    リンク情報抽出
Ｓ２５０    リンク情報伝送
Ｓ２６０    リンク情報表示
Ｓ２７０    リンク情報実行
Ｓ２８０    アプリケーションファイルダウンロード
Ｓ２９０    アプリケーションインストール
Ｓ３１０    抽出プログラム伝送
Ｓ３２０    識別情報抽出
Ｓ３３０    識別情報伝送及びリンク情報照会
Ｓ３４０    リンク情報抽出
Ｓ３５０    リンク情報伝送
Ｓ３３０ａ  識別情報伝送
Ｓ３４０ａ  識別情報伝送及びリンク情報照会
Ｓ３５０ａ  リンク情報伝送
Ｓ３６０    リンク情報表示
Ｓ３７０    リンク情報実行
Ｓ３８０    アプリケーションファイルダウンロード
Ｓ３９０    アプリケーションインストール
【図１】
0005902249.tif 000002
【図２】
0005902249.tif 000003
【図３】
0005902249.tif 000004
【図４】
0005902249.tif 000005
【図５】
0005902249.tif 000006
【図６】
0005902249.tif 000007